(57)【特許請求の範囲】
【請求項１】
遊技盤本体に外レール及び内レールを立設して、打球が流下する遊技部と該遊技部の外側に位置する非遊技部とを区画形成し、遊技機に交換自在に装着する遊技盤であって、
前記遊技部を形成するほゞ円形の第１空部及び該第１空部の周辺に設けた非遊技部を形成するベース板部を備える第１飾りベース部材と、ほゞ円形の第２空部を設けた第２飾りベース部材と、を設け、
前記第１飾りベース部材の第１空部の外縁には、外レールの遊技盤本体側の側縁を受け入れる受溝を、外レールの打球発射装置側の基端及び打球発射装置から発射された打球が衝突する着地点の周囲を除いて跳ね返りゴムの位置まで設け、
前記第２飾りベース部材の外レールを取り付ける側には、前記第１飾りベース部材の受溝に対応するように、外レールのガラス側の側縁が嵌入する挟着溝を備える支持片を円弧状に設け、
前記外レールの打球発射装置側の基端には、前記打球の着地点とは反対側に折り返した止着部を設け、且つ該止着部にダボを設け、
前記第１飾りベース部材の左下ベース板部には、取付基板から起立し、前記外レールの止着部に設けたダボに対応する嵌着孔を開設した装着片を備える外レール固定金具を設け、
該外レール固定金具の装着片に、外レールの打球発射装置側の基端に形成した前記止着部を装着し、前記ダボを嵌着孔に嵌入させることにより位置決め及び抜け止めを行い、外レールの遊技盤本体側の側縁を第１飾りベース部材の受溝に嵌合させ、且つ外レールのガラス側の側縁を第２飾りベース部材の挟着溝に嵌合させて、第１飾りベース部材と第２飾りベース部材との間に外レールを挟着して組み立て、外レールを遊技盤本体に対して間接的に固定するようにしたことを特徴とする遊技機の遊技盤。
【請求項２】
外レール固定金具の装着片の起立角度を変更することにより、外レールの取付角度を調整する請求項１に記載した遊技機の遊技盤。
【発明の詳細な説明】
【０００１】
【発明の属する技術分野】
この発明は、遊技機の遊技盤に関し、特に遊技機本体から遊技盤のみを取り外して交換可能な所謂分離式遊技機の遊技盤に関するものである。
【０００２】
【従来の技術】
遊技機の遊技盤において、打球発射装置から発射される打球を遊技盤へ導く外レールは、一般に、基端部分を折曲加工して固定釘が通る筒状固定部を形成し、この固定部に通した固定釘をベニア合板からなる遊技盤本体に打ち込んで固定していた。また、従来の外レールは、適宜な間隔で下縁に係止させた割ピンを遊技盤本体に設けた下孔に差込み、徐々に叩き込んで固定していた。そこで、従来の外レールは、打球の着地点が摩耗しても殆ど交換が不可能であった。
一方、打球をガラス面や遊技盤面に衝接させないで遊技部へ誘導するには、固定した外レールを遊技盤本体に対して所定の角度で起立させなければならない。そこで、外レールの取付角度を、上記した固定釘を側方からハンマー等で叩いて調整していた。
【０００３】
【発明が解決しようとする課題】
しかしながら、遊技盤本体に対して外レールを直接固定することは、上記したように複雑な工程が必要である。また、外レールの先端を固定する固定釘が曲ってしまうと、外レールの取付状態にバラ付が生じてしまう。
また、上記固定釘が曲っていると、打球がガラス面または遊技盤面に衝接してしまい、安定した球飛びが得られない。そこで、外レールの角度調整、即ち、遊技盤面に対する起立状態を調整する必要がある。このため、従来は上記したように固定釘をハンマー等で叩いて行っていたので、熟練技術が必要であった。また、この調整作業は、狭い作業空間で行わなければならないため、誤って他の部材や組立機械を叩いてしまい、当該遊技盤を使用不能にしたり、組立機械を破損することもあった。
本発明は上記に鑑み提案されたもので、外レールの取付、交換が容易であると共に、取付角度の調整が容易な遊技盤を提供することを目的とする。
【０００４】
【課題を解決するための手段】
上記目的を達成するため請求項１に記載した発明は、遊技盤本体に外レール及び内レールを立設して、打球が流下する遊技部と該遊技部の外側に位置する非遊技部とを区画形成し、遊技機に交換自在に装着する遊技盤であって、前記遊技部を形成するほゞ円形の第１空部及び該第１空部の周辺に設けた非遊技部を形成するベース板部を備える第１飾りベース部材と、ほゞ円形の第２空部を設けた第２飾りベース部材と、を設け、前記第１飾りベース部材の第１空部の外縁には、外レールの遊技盤本体側の側縁を受け入れる受溝を、外レールの打球発射装置側の基端及び打球発射装置から発射された打球が衝突する着地点の周囲を除いて跳ね返りゴムの位置まで設け、前記第２飾りベース部材の外レールを取り付ける側には、前記第１飾りベース部材の受溝に対応するように、外レールのガラス側の側縁が嵌入する挟着溝を備える支持片を円弧状に設け、前記外レールの打球発射装置側の基端には、前記打球の着地点とは反対側に折り返した止着部を設け、且つ該止着部にダボを設け、前記第１飾りベース部材の左下ベース板部には、取付基板から起立し、前記外レールの止着部に設けたダボに対応する嵌着孔を開設した装着片を備える外レール固定金具を設け、該外レール固定金具の装着片に、外レールの打球発射装置側の基端に形成した前記止着部を装着し、前記ダボを嵌着孔に嵌入させることにより位置決め及び抜け止めを行い、外レールの遊技盤本体側の側縁を第１飾りベース部材の受溝に嵌合させ、且つ外レールのガラス側の側縁を第２飾りベース部材の挟着溝に嵌合させて、第１飾りベース部材と第２飾りベース部材との間に外レールを挟着して組み立て、外レールを遊技盤本体に対して間接的に固定するようにしたものである。
請求項２に記載した発明は、外レール固定金具の装着片の起立角度を変更することにより、外レールの取付角度を調整するものである。
【０００５】
【発明の実施の形態】
以下、本発明を図示の一実施例について説明する。図１は遊技機、即ちパチンコ機の概略を示す正面図及び側面図である。
【０００６】
パチンコ機１は、一般に窓部を有する額縁状の前枠１１の一側を外枠１２に開閉可能に蝶着し、上記窓部にはガラスを装着したガラス飾り枠１３を開閉可能に軸着し、上記前枠１１及びガラス飾り枠１３を施錠装置１３１で施錠する。図面では図示していないが、ガラス飾り枠３の背面には遊技盤本体２７の前面を被うガラスを装着するガラス枠が設けてあり、額縁状に形成されるガラス飾り枠１３の開口部を塞ぐようにしてある。また、ガラス飾り枠１３の下方部分には上皿１４１を設けたフロントプレート１４２等からなる上受皿セット１４を設け、前枠１１の下方部分には下皿１５１を設けた下受皿セット１５を設ける。尚、上記上受皿セット１４の裏面側の遊技盤載置台１６（図２参照）には上皿１４１から打球発射装置１６１へ球を一個宛に供給する球送り装置１６２やスピーカが位置し、スピーカが発する効果音は上皿１４１の下方に設けたスリット１４３を通して聴こえる。尚、上記打球発射装置１６１はソレノイドを駆動源として杵先１６３で球発射位置にある球を打ち出す。上記上皿１４１の前面部分には、当該上皿１４１の球を下皿１５１に排出させるための球抜きボタン１４４を設ける。更に、図示のパチンコ機１では、可変図柄表示装置（図示せず）の図柄を停止させるためのタッチスイッチ１４５が設けてある。
【０００７】
上記前枠１１の窓部には、この窓部を塞ぐように遊技盤載置台１６に載せて交換可能に構成した遊技盤２を臨ませる。遊技盤２の前面側には後述する外レール３１及び内レール３２を配設してほゞ円形に囲まれる遊技部２１を形成する。また、この遊技部２１内には、図示していないが、可変表示装置や変動入賞装置等の各種役物、始動口や各種入賞具、風車、或は各種表示灯等、様々な遊技部材を配設し、最下位置にアウト口２２を設ける。更に、外レール３１または内レール３２の外側で右側の上方隅部分には完了表示灯２３を、外レール３１の外側で左側の上方隅部分には賞球表示灯２４を設け、更にガラス飾り枠１３の上縁には外部表示灯２５を設ける。尚、以後、外レール３１及び内レール３２の外側を非遊技部２６という。
【０００８】
上記下受皿セット１５の前面側には打球発射装置１６１により遊技部２１に打ち込まれる打球の飛距離を調整するための操作グリップ１５２を設ける。また、この下受皿セット１５には、獲得した賞球を貯留しておくための下皿１５１の他、灰皿１５３や球抜きレバー１５４等が設けてある。
【０００９】
上記のような諸装置或は諸部材を組み付ける前枠１１は、ベニヤ合板等を切削加工して構成してもよいし、合成樹脂を成形して構成してもよい。また、前枠１１をヒンジ装置により蝶着する外枠１２は、木板等を矩形に枠組したもので、図示の実施形態では接続隅部に補強金具１２１を設けている。尚、前枠１１の側縁には、施錠装置１３１のレバーや鍵片の逃げとして凹部１２２，１２３及び錠受金具１２４が設けてある。
【００１０】
遊技盤２は、パチンコ機１の主要な部材であって、ベニヤ合板の全前面に意匠図の描かれた図示しないセルシートを一体に結合したほゞ方形の遊技盤本体２７に種々の遊技部材を取り付けて構成する。この遊技盤本体２７は、例えばベニヤ合板を切削加工して形成する。尚、図面では開口部や取付孔等の図示を省略している。
【００１１】
遊技盤本体２７の前面側には、後述する飾り部材３を添設して遊技部２１と非遊技部２６とを形成する。即ち、遊技者が発射した打球が転動する部分と、打球が飛び出すことがなく、専ら表示及び装飾に用いる部分とに区画する。このため、従来の遊技盤２においては、「ガイドレール」或は「バンド」等と呼ばれる帯状のステンレス板をほゞ円形ないし渦巻状に配置すると共に、割ピンを遊技盤本体２７に打ち込んで固定していた。
【００１２】
このため、従来のパチンコ機１にあっては、上記ガイドレールを所定の形状に、即ち正しい曲線を描くように、且つ盤面に対して直立するように、固定するのが困難であった。また、ガイドレールの側端縁（切口）が露出しているので、清掃時等に怪我をする虞れがあった。
【００１３】
そこで、図面の実施形態では、遊技盤本体２７とほゞ同形に形成した第１飾りベース部材４と第２飾りベース部材５とから構成する飾り部材３を、遊技盤本体２７の前面側に重合させることにより、遊技部２１と非遊技部２６とを形成している。
【００１４】
第１飾りベース部材４は、遊技盤本体２７とほゞ同形、換言すると外形線が一致する形状に構成した板状の部材であって、光透過性の合成樹脂により一体成形する。このことにより遊技盤本体２７の意匠図が透過して見える。この第１飾りベース部材４の中央部分には、遊技部２１となるほゞ円形の第１空部４１を設け、遊技盤本体２７の表面部分が見えるようにする。
【００１５】
上記第１空部４１の周辺部には、非遊技部２６を形成するためのベース板部４２を設ける。また、ベース板部４２の内縁、即ち上記第１空部４１の外縁には、後述する外レール３１の支えとなり、外レール３１を装着可能な第１外レール装着部を形成する。この第１外レール装着部は、例えば外側起立片４３、及び外レール３１の厚さ分の間隔をあけて突設した突条４４とからなる。
【００１６】
外側起立片４３は、後述する外レール３１の基端（先端）が位置する図面に向って左側下方の左下ベース板部４２１から第１空部４１の側縁に沿って始まり、左側上方の左上ベース板部４２２へ円弧を描いて連なり、右側上方の右ベース板部４２３における跳ね返りゴム４５の位置にて終了する。この外側起立片４３の基端部分の内側には、前記したように外レール３１の側縁を受け入れる受溝４３１を形成するための突条４４を平行して設ける。
【００１７】
また、第１飾りベース部材４には、内レール３２として機能する内側起立片４６を設ける。この内側起立片４６は、前記した外レール装着部、即ち外側起立片４３と一部が重なるように打球が通過可能な空隙を開けて第１空部４１の側縁部に形成している。尚、図示の実施形態においては、内側起立片４６が内レール３２として直接機能するのは遊技部２１の左方部分であり、下方部分は後述する不正遊技防止部材６が内レール３２の下方部分を形成しているが、不正遊技防止部材６を取り付けないときは、内側起立片４６が内レール３２として機能する。
【００１８】
一方、上記内側起立片４６と対向する側、即ち遊技部２１の右側には、内側垂下片５４を設けて内レール３２として機能させる。即ち、第２飾りベース部材５の第２空部５１の周辺に設けた前面板部５２の跳ね返りゴム４５の位置から遊技盤面へ向けて円弧状に始まり、右下ベース部５２１を通ると共に、最下位置のアウト口２２となる凹部５３の左端で終る。尚、図示の実施の形態では、直接内レール３２として機能するのは、遊技部２１の右方部分であって、下方部分は後述する不正遊技防止部材６を添設するようなっている。
【００１９】
上記外側起立片４３と内側起立片４６とが重なる部分は、遊技者が発射する打球の通路、即ち球通路４７となる部分で、底板部４７１により繋がっており、入口側が幅広に形成されると共に、出口側が縮幅している。また、出口部分の底板部４７１の先端は、傾斜面４７２によって斜めに遊技盤面に連なるようになっており、打球がスムーズに遊技部２１に飛入する。
【００２０】
上記打球の出口部分、即ち内側起立片４６の先端には、戻り玉防止装置４８を設ける。この戻り玉防止装置４８は、図示の実施形態によれば、内側起立片４６の先端に弾性を有する戻り玉防止片４８１、例えばステンレスの箔片を、球通路４７を斜めに横切るように交換自在に装着して構成する。従って、打球が障害釘や跳ね返りゴム４５に衝突して跳ね返っても、上記戻り玉防止片４８１にぶつかると、当該戻り玉防止片４８１が球通路４７の出口を塞ぐので、跳ね返り球は球通路４７を逆流することがない。一方、打球は戻り玉防止片４８１を開いて遊技部２１に飛入する。
【００２１】
また、この戻り玉防止装置４８においては、戻り玉防止片４８１が交換自在に構成してある。即ち、内側起立片４６の先端に、厚肉部４８２を形成すると共に、該厚肉部４８２に一部が開口して円筒形の基端装着部４８３に連通する装着溝４８４を形成する。一方、戻り玉防止片４８１の基端を丸めて上記基端装着部４８３に装着可能な装着柱４８５を設ける。そして、この装着柱４８５を上記基端装着部４８３に挿入すると共に、戻り玉防止片４８１を開口を通して厚肉部４８２の上方へ延出させる。従って、戻り玉防止片４８１が変形してしまったような場合には、上記装着柱４８５を基端装着部４８３から抜き去り、新しい戻り玉防止片４８１を基端装着部４８３に挿入して交換すればよい。
【００２２】
上記戻り玉防止装置４８は、図６に示すように他の実施の形態とすることもできる。この実施の形態では、後述する不正遊技防止部材６を延長することにより戻り玉防止装置４８を構成している。即ち、内レール３２を構成する内側起立片４６に沿って取り付ける不正遊技防止部材６の先端に戻り玉防止片６８１を一体に形成し、当該戻り玉防止片６８１の基端部に設けた嵌着孔６８２に、第１飾りベース部材４の底板部４７１から起立する嵌着ピン４８１を嵌合させて、不正遊技防止部材６及び戻り玉防止片４８１を取り付けたものである。
【００２３】
このような構成の戻り玉防止装置４８によっても、打球が遊技部２１で跳ね返って球通路４７に飛び込もうとしても、戻り玉防止片６８１が球通路４７の出口を塞いでいるので、戻り玉の発生を確実に防止できる。一方、発射された打球に対しては戻り玉防止片６８１が抵抗になることはなく、スムーズに打球を遊技部２１へ飛入させる。
【００２４】
尚、戻り玉防止片４８１及び不正遊技防止部材６の先端部の固定は、図６（Ｂ）に示すように、第１飾りベース部材４から起立させた板状の嵌着片４８３に戻り玉防止片６８１の基端部分に開設した嵌着口６８３を嵌合させるようにしてもよい。この図６に示した実施の形態においては、不正遊技防止部材６を戻り玉防止装置４８に向けて次第に縮幅させてテーパー状に配設してある。
【００２５】
更に、図７に示す実施の形態は、不正遊技防止部材６に内側起立片４６を覆う被覆部６０を先端部に向けて延設し、該被覆部６０の先端に戻り玉防止装置４８を設けたものである。尚、上記した各実施の形態においては不正遊技防止部材６と戻り玉防止装置４８を一体に構成しているが、分離して戻り玉防止装置４８のみを交換可能にすることもできる。
【００２６】
第１飾りベース部材４の左右側縁には、遊技盤２を遊技機本体に取り付けるときに利用するロック受３３を設ける。このロック受３３は、第１飾りベース部材４の所定の位置に凹陥部３３１を形成すると共に取付基部３３２を設け、この取付基部３３２に金属片からなるロック片３３３の先端と第１飾りベース部材４の側縁とを合わせると共に、後述する第２飾りベース部材５の下面との間に遊技盤取付装置（図示せず）の取付片を受け入れる取付空部３３４をあけるように取り付けて構成する（図１８参照）。尚、遊技盤取付装置は回動可能に軸着したコ字状の取付片で、遊技盤２の側縁を挟み込んで当該遊技盤２を取り付けるようにしたもので、遊技盤２の周囲４箇所に設けてある。
【００２７】
打球発射装置１６１で発射される打球は、発射レール１６４からファール玉樋１６５を飛び越えて外レール３１に飛び移り、この外レール３１に導かれて遊技部２１に達する。そして、前記したように、従来のパチンコ機における外レールは、基端部分を折曲加工して固定釘が通る筒状固定部を形成し、この固定部に通した固定釘をベニヤ合板からなる遊技盤本体に打ち込んで固定していた。このため、強固に固定された外レールに打球が衝突して、打球の着地点が激しく摩耗してしまっていたのが現状である。
【００２８】
そこで、図面に示す実施の形態の遊技盤２は、外レール３１自身で打球の衝撃を吸収可能なように構成している。即ち、打球が衝突する着地点の周囲を自由空間として、外レール３１の変形を可能としている。
【００２９】
このため、本実施の形態では、外レール３１の基端付近に切欠部３１１を設けて幅を狭くして、側縁が遊技盤面側に接触しないように、且つ幅を狭くすることにより変形し易くして衝撃の吸収が大きくなるように構成している（図１０参照）。
【００３０】
また、外レール３１が変形するときの逃げとなる自由空間を形成するために、外側起立片４３の基端部分、即ち打球発射装置１６１から発射された球が衝突する部分及びその前後の適宜な範囲を、外レール３１と密着しないように若干後退させて段差部４３２を設ける。
【００３１】
具体的には、図５に示すように、外レール３１の背面側に空間Ｐが生じるように、外レール３１の取付位置よりも若干後退させた位置に外側起立片４３の段差部４３２を設ける。また、外レール３１の基端を固定するときには、後述する外レール固定金具７を介して固定する。
【００３２】
上記のようにして固定した外レール３１の先端部分においては、外レール固定金具７と外側起立片４３が始まる段差部４３２の範囲では、外レール３１が浮き上がった状態となる。このため、打球発射装置１６１から発射した打球が衝突しても、外レール３１の変形によって衝撃が緩和されることになるので安定した球飛びが得られる。また、外レール３１が強固に固定されていないので、球の衝突による外レール３１の摩耗も防止され、当該外レール３１の耐久性が向上する。
【００３３】
更に、前記したように従来の遊技盤においては、外レール３１の基端を固定釘によって遊技盤本体に直接固定していた。従って、固定には熟練技術を要すると共に、角度調整も難しく、なかなか安定した球飛びを得られないのが現状であった。そこで、本発明に係る遊技盤２においては、別部材として形成した外レール固定金具７によって、外レール３１の基端を固定基板７２に対して固定するようにした。
【００３４】
上記外レール固定金具７（図９参照）は、固定基板７２として機能する第１飾りベース部材４に設けたベース板部４２、図示の実施形態では球通路４７の底板部４７１に、裏面側からビス等によって固定する金具であり、外レール３１の先端に設けた止着部３１２を装着する装着片７１を備える。この装着片７１は、取付基板７４を切り起こして形成したもので、嵌着孔７５が開設してある。尚、取付基板７４には取付ビスを通す取付孔７４１や位置決め孔７４２を設ける。また、取付基板７４の下縁の一部には第１飾りベース部材４のベース板部４２の下縁部分を巻くように屈曲させた屈曲係止片７６が設けてあり、遊技盤２を遊技盤載置台１６に載せて設置するときに使用する係止金具の係止リング（図示せず）が係止する。更に、取付基板７４の下縁隅には、遊技盤２を遊技盤載置台１６に設置した場合に、発射レール１６４の基端との間に生じる隙間を塞ぐように立上り閉止片７７を設け、この閉止片７７により怪我をしないように保護キャップ７８を被せている。
【００３５】
外レール３１の基端には止着部３１２を形成する（図２参照）。この止着部３１２は、外レール３１の基端を折り返して形成したもので、上記外レール固定金具７の装着片７１を挟着することで、外レール３１の基端を固定するものである。尚、止着部３１２にはダボ３１３を設け、このダボ３１３が上記装着片７１の嵌着孔７５に嵌入して位置決め及び抜け止めを行うようになっている（図９，図１０参照）。
【００３６】
外レール３１が遊技盤本体２７に対して所定の角度、即ち直角に立ち上がっていないと、打球がガラスＧの方向へ飛んだり遊技盤本体２７の表面に向って飛んだり、球飛びが安定しない。そこで、従来から外レール３１の取付角度を調整しているが、この調整は熟練技術を要する面倒な作業であった。
【００３７】
このため、本実施の形態では、装着片７１の立上り角度を調整することにより外レール３１の角度調整を可能としている（図１１参照）。また、角度調整には、専用の治具７９を用意している。この治具７９は、先端に装着片７１に挟着した外レール３１の止着部３１２が嵌入可能な溝部７９１を有するもので、この治具７９を梃子として利用して僅かな力で装着片７１の角度を変え、外レール３１の取付角度を調整するものである。
【００３８】
外レール３１の取付角度が正確に調整されると、打球が通路の中央を通り、ガラスＧに衝突したり、遊技盤面に衝突することがなく、球飛びが安定する。
【００３９】
外レール３１の先端、換言すると内レール３２との変換点には跳ね返りゴム４５を位置させる。跳ね返りゴム４５は、外レール３１に沿って飛入する打球を遊技部２１へ跳ね返すもので、弾性を有するゴム質からなる。この跳ね返りゴム４５は、中央に装着孔４５１を有し、この孔４５１に第１飾りベース部材４から立上げた装着柱４５２を嵌入させると共に、前面側からこの装着柱４５２に向けてネジ止めする。尚、上記装着柱４５２には回り止めのリブ４５３が設けてある。
【００４０】
上記跳ね返りゴム４５は、外レール３１と内レール３２とを分ける部分である。上記外レール部分は球が接触して通過し、球は発射勢を有している。このため、外レール部分は耐摩耗性が必要である。一方、内レール部分になると、球は流下勢のみとなるので、球が接触しても摩耗するようなことはない。従って、合成樹脂で成形しても耐久性が劣ることがない。また、遊技部２１の側方部分には、通常、サイドランプを配設する。従って、側方部分の内レール３２には、打球が触れることがない構造となっている。
【００４１】
内レール３２は、アウト口２２を最下位置にして上側が切れたほゞ円形に形成する。即ち、前記した内側起立片４６によって形成され、下半部分は不正遊技防止部材６によって被覆される。上記内側起立片４６に沿って適宜間隔で不正遊技防止部材６を取り付けるための取付柱４６１を設ける。
【００４２】
不正遊技防止部材６は、ガラスＧと内レール３２との間の隙間からピアノ線等を挿入して入賞球がないのに、入賞装置を誤動作させて賞球を不正に獲得されることを防止するための部材である。
【００４３】
この不正遊技防止部材６は、従来から設置されているが、帯状の別部材として取り付けているため取り扱いが面倒であった。しかも、平板状の部材に切込を入れて湾曲させながら取り付けるため、作業には熟練技術が必要であって、作業者によってバラ付が生じてしまう。また、温度変化によって収縮してしまい、ガラスＧとの間に隙間が生じて機能を果たさなくなることがあった。更に、別部材として取り付けるので、コストが高くついている。
【００４４】
そこで、本実施の形態における不正遊技防止部材６は、中央部にアウト口２２を形成する凹部６１を備えるほゞ半円形の正面図形状を有する部材である。また、この不正遊技防止部材６は、断面形状が図１３に示すように、内レール３２として機能する平板部６２と、該平板部６２の前端縁から若干後退した位置から下向きに延出する押え部６３と、該押え部６３の下端から前方へ向けて延出する支持部６４と、該支持部６４の前縁から斜め外方へ向けて延出する挿入阻止片６５とを有している。そして、上記平板部６２と押え部６３と支持部６４は、後述する押え部材６６の受溝部６７を構成する。
【００４５】
尚、この不正遊技防止部材６は、温度変化等、外部環境の影響で伸縮し難いと共に、適度な柔軟性を有する材質で形成し、例えばポリプロピレンとゴムの混合物等により形成する。
【００４６】
押え部材６６は、上記不正遊技防止部材６の受溝部６７の形状に対応して、半円弧状に形成した合成樹脂製の板状部材で、前記した第１飾りベース部材４の取付柱４６１に対応する位置には取付孔６６１が設けてある（図１２参照）。また、不正遊技防止部材６の前端縁６２１が嵌入可能な嵌入溝６６２が裏面側に形成してある（図１３参照）。
【００４７】
上記のような不正遊技防止部材６によれば、ガラスＧを閉めると図１３（Ｂ）に示すように、挿入阻止片６５がガラス面に密着してピアノ線等を挿入することができなくなる。尚、図１３（Ａ）はガラスＧを開いた状態である。
【００４８】
不正遊技防止部材６のアウト口２２に対応する位置に形成した凹部６１には、後方へ向って緩く下り傾斜する複数のリブ６１１を設け、流下する球を遊技盤本体２７に開設したアウト口２２へ誘導する。また、遊技盤本体２７のアウト口２２の周囲を飾るアウト口カバー２２１は、第１飾りベース部材４に取り付けてある。従って、遊技盤本体２７に対する部品の取付が減り、組立工程の省力化が可能である。
【００４９】
前記した外レール３１において、打球発射装置１６１で発射した打球が発射レール１６４から飛び出してファール玉樋１６５を飛び越えて外レール３１に衝突する部分の付近には、破防レール１６６を取り付けて、万が一跳ね返った球がガラスＧに衝突して当該ガラスＧが破損することを防止する。尚、この破防レール１６６は、前記した不正遊技防止部材６と同質の素材からなり、適度な弾性を有する合成樹脂製である。
【００５０】
前記したような第１飾りベース部材４の背面側には、位置決め兼用取付ボス４９１をほゞ対角線上に設ける。そして、この位置決め兼用取付ボス４９１を遊技盤本体２７に設けた位置決め兼用取付孔２７３に、木工用ブッシュ１００を介在させて嵌着する（図１７参照）。
【００５１】
また、上記第１飾りベース部材４の外縁部及び適宜位置には、外縁起立リブ４４１及び補強リブ４４２を設けて、遊技盤本体２７の表面に当該リブ４４１，４４２、或は釘孔ないしビス孔を有する取付部４４３の部分で当接させると共に、ねじれ等の防止を図っている（図３及び図４参照）。
【００５２】
前記した第１飾りベース部材４に重合させる第２飾りベース部材５は、例えば図８に示すように、中央にほゞ円形の第２空部５１を備えると共に、四隅に前面板部５２を備え、下辺の一部が切れてるが製造時はランナ５２１により繋がっており、一体に成形することができる。
【００５３】
第２飾りベース部材５の前面板部５２、即ち左上隅部には賞球表示灯２４を設ける開口部２４１を、右上隅部には完了表示灯２３を設ける開口部２３１を夫々開設する。
【００５４】
跳ね返りゴム４５の位置から不正遊技防止部材６の上端までの間には、内レール３２として機能する内側垂下片５４を遊技盤面に向けて延設する。
【００５５】
上記内側垂下片５４の下端から、アウト口２２の左端迄は、前記不正遊技防止部材６の受部５４１を形成するため凹陥している。
【００５６】
外レール３１を取り付ける側には、外レール３１の背面側に位置する支持片５５を円弧状に設けると共に、外レール３１の側縁が嵌入する挟着溝５５１を上記支持片５５に沿って設ける（図５参照）。また、前記した打球が衝突する部分では、前記した第１飾りベース部材４と同様に空間Ｐを形成するように、若干後退している。
【００５７】
第２飾りベース部材５には、前記したように内レール３２として機能する内側垂下片５４を設ける。この内側垂下片５４は第２空部５１の周縁に位置し、跳ね返りゴム４５の位置から遊技盤面へ向けて円弧状に始まり、不正遊技防止部材６を取り付ける部分からは第１飾りベース部材４の内側起立片４６の内側に位置して、最下位置のアウト口２２となる凹部５４２の左端で終る。
【００５８】
尚、この第２飾りベース部材５の表面側には、適宜な模様や意匠を施すと共に、適宜な位置に釘孔を有する取付部５６を設け、第１飾りベース部材４と共に遊技盤本体２７に取り付けられる。
【００５９】
前記した賞球表示灯２４及び完了表示灯２３を構成するために開設した開口部２３１，２４１の前面には透光性を有するレンズ部材２３２，２４２を取り付ける。このレンズ部材２３２，２４２の取り付けは、第２飾りベース部材５に夫々開設した係止孔５３１に、レンズ部材２３２，３４２の背面側に設けた係止爪（図示せず）を係止させて行う。また、上記賞球表示灯２４及び完了表示灯２３を構成するレンズ部材２３２，３４２の近傍には、同じようにして装飾用のレンズ部材２３３，２３４及び２４３，２４４を取り付ける。これらのレンズ部材の取付も係合手段（図示せず）によってワンタッチで行うようになっている。
【００６０】
尚、図面では示していないが、上記した第２飾りベース部材５の外縁部には外形起立リブを設けると共に、裏面側の適宜位置には補強用のリブや基板等の取付受部が設けてある。
【００６１】
遊技盤本体２７の前面に取り付ける飾り部材３は、前記した第１飾りベース部材４と第２飾りベース部材５との間に、外レール３１を挟着して組み立てる。即ち、先ず、第１飾りベース部材４に外レール固定金具７をネジ止めする。この外レール固定金具７は、取付基板７４を第１飾りベース部材４のベース板部４２の裏面側に添設し、装着片７１及び閉止片７７を第１飾りベース部材４に開設した通孔を通して表面側に起立させる。
【００６２】
外レール３１の先端に設けた止着部３１２を上記装着片７１に差込み、止着部３１２に設けたダボ３１３を装着片７１の嵌着孔７５に嵌めて固定する。また、閉止片７７には保護キャップ７８を被着する。一方、跳ね返りゴム４５を装着柱４５２及びリブ４５３に差込み、ネジ止めする。
【００６３】
外レール３１を第１飾りベース部材４の装着部、即ち外側起立片４３に沿わせると共に、側縁を突条４４との間に形成した受溝４３１に嵌合させ、先端を跳ね返りゴム４５と外側起立片４３との間に挟み込む。
【００６４】
第２飾りベース部材５を第１飾りベース部材４に重ね、外レール３１の側端を第２飾りベース部材５の裏面側に形成した挟着溝５５１に嵌合させた状態で、所定の位置に設けたビス孔でビス止めする。尚、このビス止めは、第１飾りベース部材４の適宜な位置に設けたビス止め部４２５に、背面側からビスを挿通し、このビスを第２飾りベース部材５のビス止めボスにねじ込んで行う。
【００６５】
上記のようにして組み立てれば、金属製の外レール３１を備える飾り部材３を一体的に構成することができる。また、この飾り部材３は、内レール３２の一部として機能する内側起立片４６を第１飾りベース部材４に備えると共に、内側垂下片５４を第２飾りベース部材５に備えている。更に、内レール３２の一部としても機能する不正遊技防止部材６が取り付けてある。
【００６６】
上記不正遊技防止部材６を取り付けるには、内レール３２を形成する内側起立片４６に不正遊技防止部材６を沿わせると共に、押え部材６６を受溝部６７に嵌合させ、所定のビス孔で取付柱４６１に向けてビス止めする。これにより内レール３２の下半部分とアウト口２２の下半部分が形成される。尚、アウト口カバー２２１を一緒に取り付ける。
【００６７】
外レール３１の取り付け角度を調整するには、前記したように調整治具７９の溝部７９１を外レール３１の基端、即ち装着片７１に挟着した外レール３１の止着部３１２に差し込んで図１１の矢印のように揺動させて行えばよい。従って、従来のようにハンマーで固定釘を叩く必要がなく、誤って周囲を破損したり怪我をすることがない。
【００６８】
尚、一般に、遊技部２１に飛入した球は、アウト口２２へ向って流下することを基本的な流れとしているので、内レール３２に球が衝接しても、遊技に悪影響が出るものではない。従って、内レール３２が分割されていても遊技に影響することがない。
【００６９】
そして、上記のようにして一体に組み立てた飾り部材３は、図１５ないし図１７に示すように、所定の位置に設けた釘孔から遊技盤本体２７に向けて釘１０１を打ち込んだり、前記したようにブッシュ１００を介在させて遊技盤本体２７の位置決め兼用取付孔２７３に嵌着して取り付けることができる。尚、図１７に示すように、第１飾りベース部材４と第２飾りベース部材５とをビス１０２によって組み付けることもできる。
【００７０】
上記のようにして組み立てた飾り部材３によれば、一体に組み立てられた飾り部材３を遊技盤本体２７の前面に取り付けるだけでよいので、生産工程において大幅な省力化とコストダウンが可能になる。また、均一で安定した製品を得ることができる。一方、外レール３１を別部材としているので、飾り部材３を形成する際の金型製作において、抜き勾配を考慮する必要がなくなり、設計が自由になる。しかも、外レール３１が常に遊技盤面に対して垂直に固定されるので、発射球の進行方向に片寄りがなくなり、球飛びが安定する。更に、外レール３１の側縁を第２飾りベース部材５の挟着溝５５１に嵌入させて、外レール３１の側縁を露出させていないので、組立作業中や清掃中に怪我をする心配がなくなる。
【００７１】
図１４は他の実施の形態を示す組立図である。この実施の形態が上記した実施の形態と異なるところは、第２飾りベース部材５を複数の部材により構成するようにしたものである。
【００７２】
即ち、第２飾りベース部材５を、左部材５Ａ、中部材５Ｂ、右部材５Ｃの３部材により構成するようにしてある。左部材５Ａは、外レール３１の左側部分を受け入れる挟着溝５５１を裏面側に備えると共に、賞球表示灯２４を構成するためのランプベース５７１を備える。右部材５Ｃは内レール３２を構成する垂下片５４を備えると共に、完了表示灯２３を構成するためのランプベース５７２及びアウト口２２を構成する凹部５３を備える。中部材５Ｂは外レール３１の上側部分を受け入れる嵌着溝５５１を裏面側に有している。また、この中部材５Ｂは、透光性を有する素材によって形成されると共に所謂ダイヤカットを施して、内側に設ける発光源の光を様々な方向に照射可能で、装飾効果を著しく高めている。
【００７３】
上記各部材の接合部分には、異なる色彩、例えば金色に彩色した飾り帯部材５８１〜５８４を介在させて、更に装飾効果を高めている。
【００７４】
賞球表示灯２４及び完了表示灯２３も複数の部材により構成する。前記した左部材５Ａ及び右部材５Ｃに、透孔５７１ａ，５７２ａを有するランプベース５７１，５７２を設け、このランプベース５７１，５７２に飾り枠５７３，５７４を取り付けると共にレンズ部材５７５，５７６を取り付ける。また、上記レンズ部材５７５，５７６に副レンズ部材５７５ａ，５７６ａを取り付ける。このように複数の部材により構成するときは、各部材の色彩や模様を異ならせることで、より一層装飾効果を向上させることができる。
【００７５】
一方、上記ランプベース５７１，５７２の背面側、即ち第１飾りベース部材４の前面側には、配線基板５７７，５７８を設ける。この配線基板５７７，５７８には、コネクタやプリント配線、或は抵抗器のチップ部品等を配設する。このようにすれば、配線基板５７７，５７８が露出することがなく、すっきりすると共に、遊技盤本体２７に密着させることができる。尚、ランプやＬＥＤ等の発光源は別途に遊技盤本体２７にランプ基板を設け、この発光源の光を、遊技盤本体２７に開設したランプ孔２７１，２７２、第１飾りベース部材４に開設した透孔４２６，４２７、配線基板５７７，５７８に開設した通孔５７７ａ，５７８ａを通してレンズ部材５７５，５７６まで導く。
【００７６】
更に、この実施の形態では、第２飾りベース部材５の左下部分及び右下部分にもレンズ部材５７９ａ，５７９ｂを設けている。従って、飾り部材３はほゞ四隅にレンズ部材５７５，５７６，５７９ａ，５７９ｂを備え、装飾効果が著しく向上している。
【００７７】
尚、図１４に示した実施の形態で、説明していない符号は、前記した実施の形態における同じ符号を付した部材と同じ機能を有しているので説明を省略する。
【００７８】
以上本発明を図面の実施形態について説明したが、本発明は上記した各実施形態に限定されるものではなく、特許請求の範囲に記載した構成を変更しない限り適宜に実施できる。
【００７９】
【発明の効果】
以上要するに本発明は、遊技盤本体に外レール及び内レールを立設して、打球が流下する遊技部と該遊技部の外側に位置する非遊技部とを区画形成し、遊技機に交換自在に装着する遊技盤であって、前記遊技部を形成するほゞ円形の第１空部及び該第１空部の周辺に設けた非遊技部を形成するベース板部を備える第１飾りベース部材と、ほゞ円形の第２空部を設けた第２飾りベース部材と、を設け、前記第１飾りベース部材の第１空部の外縁には、外レールの遊技盤本体側の側縁を受け入れる受溝を、外レールの打球発射装置側の基端及び打球発射装置から発射された打球が衝突する着地点の周囲を除いて跳ね返りゴムの位置まで設け、前記第２飾りベース部材の外レールを取り付ける側には、前記第１飾りベース部材の受溝に対応するように、外レールのガラス側の側縁が嵌入する挟着溝を備える支持片を円弧状に設け、前記外レールの打球発射装置側の基端には、前記打球の着地点とは反対側に折り返した止着部を設け、且つ該止着部にダボを設け、前記第１飾りベース部材の左下ベース板部には、取付基板から起立し、前記外レールの止着部に設けたダボに対応する嵌着孔を開設した装着片を備える外レール固定金具を設け、該外レール固定金具の装着片に、外レールの打球発射装置側の基端に形成した前記止着部を装着し、前記ダボを嵌着孔に嵌入させることにより位置決め及び抜け止めを行い、外レールの遊技盤本体側の側縁を第１飾りベース部材の受溝に嵌合させ、且つ外レールのガラス側の側縁を第２飾りベース部材の挟着溝に嵌合させて、第１飾りベース部材と第２飾りベース部材との間に外レールを挟着して組み立て、外レールを遊技盤本体に対して間接的に固定するようにしたので、外レールの取付けを簡単に行うことができ、取付位置及び取付状態のバラ付を無くすことができ、しかも外レールの交換が自在になる。また、外レールの取付角度の調整が容易になり、この取付角度を調整する際、ハンマーで叩く必要がないので、誤って周囲を破損したり怪我をすることがない。そして、正しく調整された外レールにより、打球をガラス面や飾り部材面に衝接させることなく遊技部へ誘導することができ、安定した球飛びを得ることができる。
【図面の簡単な説明】
【図１】パチンコ機の概略を示し、（Ａ）は正面図、（Ｂ）は側面図である。
【図２】パチンコ機の内部を示す要部の欠截正面図である。
【図３】遊技盤の組立斜視図である。
【図４】第１飾りベース部材の正面図である。
【図５】組付状態の第２飾りベース部材の一実施形態を示す正面図である。
【図６】組付状態の第２飾りベース部材の他の一実施形態を示す正面図である。
【図７】組付状態の第２飾りベース部材の更に他の一実施形態を示す正面図である。
【図８】成形状態の第２飾りベースの正面図である。
【図９】外レール固定金具を示し、（Ａ）は斜視図、（Ｂ）は平面図、（Ｃ）は正面図である。
【図１０】外レールの基端部分を示し、（Ａ）は正面図、（Ｂ）は平面図である。
【図１１】外レールの取付状態及び角度調整法の説明図である。
【図１２】不正遊技防止部材及び押え部材の斜視図である。
【図１３】不正遊技防止部材の作用を説明する要部の断面図で、（Ａ）はガラスを開いた状態、（Ｂ）はガラスを閉じた状態である。
【図１４】遊技盤の他の実施形態を示す組立斜視図である。
【図１５】図１４の実施形態における飾り部材の取付状態の一例を示す要部の断面図である。
【図１６】飾り部材の取付状態の他の一例を示す要部の断面図である。
【図１７】飾り部材の取付状態の更に他の一例を示す要部の断面図である。
【図１８】ロック受の周辺を説明する断面図である。
【符号の説明】
１  パチンコ機
２  遊技盤
３  飾り部材
４  第１飾りベース部材
５  第２飾りベース部材
６  不正遊技防止部材
７  外レール取付金具
２１  遊技部
２６  非遊技部
２７  遊技盤本体
３１  外レール
３２  内レール
７１  装着片
７２  固定基板
７４  取付基板
３１２  止着部
【図１】
0003571137.tif 000002
【図２】
0003571137.tif 000003
【図３】
0003571137.tif 000004
【図４】
0003571137.tif 000005
【図５】
0003571137.tif 000006
【図６】
0003571137.tif 000007
【図７】
0003571137.tif 000008
【図８】
0003571137.tif 000009
【図９】
0003571137.tif 000010
【図１０】
0003571137.tif 000011
【図１１】
0003571137.tif 000012
【図１２】
0003571137.tif 000013
【図１３】
0003571137.tif 000014
【図１４】
0003571137.tif 000015
【図１５】
0003571137.tif 000016
【図１６】
0003571137.tif 000017
【図１７】
0003571137.tif 000018
【図１８】
0003571137.tif 000019